(57)【要約】【課題】回転押えボタンを有する端子台構造を提供する。【解決手段】主に端子台内に長い形の押えボタンを設置し、押えボタンは中央部の位置に支軸が突設されてあり弾き穴内で位置決めし、この支軸を中心に押えボタンを押し動かすことができるようにし、押えボタンの一端は力を加える弾き側を形成し、他端はばねプレートの側辺を押すための押し側を形成し、応用時にさらに力を必要とせず、かつ押す位置がさらに正確になるようにする。【選択図】図１
0003137596.tif 000002
【実用新案登録請求の範囲】
【請求項１】
端子台のハウジング内部に少なくとも１つの収容溝が設けてあり、ハウジングの収容溝に対応する正面に電線挿入穴が設けてあり、上方に弾き穴が設けてある端子台構造であって、少なくとも1つの端子は、ハウジングの収容溝内に置かれるコの字形フレームを有し、その下方のピンはハウジング下方に伸び出し、溶接点を形成し、少なくとも１つの折り曲げられたばねプレートは、前記端子のコの字形フレーム内に置かれ、少なくとも1つの押えボタンは、長い形を形成し、弾き穴内に設けられ、前記押えボタンは中央部の位置に支軸が突出されてあり、弾き穴内で位置決めし、この支軸を中心に前記押えボタンを押し動かすことができるようにし、前記押えボタンの一端は力を加える弾き側を形成し、他端はばねプレートの側辺を押す押し側を形成する、回転押えボタンを有する端子台構造。
【請求項２】
前記収容溝内の略中央の位置にストッパーを設け、平面に垂直な支柱が側辺に設けてあることを特徴とする、請求項１記載の回転押えボタンを有する端子台構造。
【請求項３】
前記弾き穴の側辺に軸穴が設けてあることを特徴とする、請求項１記載の回転押えボタンを有する端子台構造。
【請求項４】
前記端子のコの字形フレームの一端にテーパーを設け、前記ばねプレートの対応する位置に釘穴を設け、前記テーパーを前記釘穴に挿入することを特徴とする、請求項１記載の回転押えボタンを有する端子台構造。
【請求項５】
前記押えボタンの一端で形成した弾き側が弾き穴に突出することを特徴とする、請求項１記載の回転押えボタンを有する端子台構造。
【請求項６】
前記弾き側には補助弾き溝が設けてあることを特徴とする、請求項１記載の回転押えボタンを有する端子台構造。
【請求項７】
前記弾き側の補助弾き溝が一字形であることを特徴とする、請求項６記載の回転押えボタンを有する端子台構造。
【請求項８】
前記弾き側の補助弾き溝が細かく密集した複数の縞溝であることを特徴とする、請求項６記載の回転押えボタンを有する端子台構造。
【請求項９】
前記押し側が尖形、スライド、または弧形の形状であることを特徴とする、請求項１記載の回転押えボタンを有する端子台構造。
【考案の詳細な説明】
【技術分野】
【０００１】
本考案は、回転押えボタンで端子台内部のばねプレートを押す技術的特徴に関する。
【背景技術】
【０００２】
従来の電線挿入用端子台は、図7の正面図の構造および図6の側面図の構造のように、端子台のハウジング(70)に1つ、または複数の収容溝(71)をそれぞれ設けてあり、各収容溝(71)内にそれぞれ1つの端子(74)が設けてあり、かつ端子(74)の上方にコの字形フレーム(741)が形成してあり、そのピン(742)はハウジング(70)の外側に伸び出し接点とされている。そのうち、端子(74)のコの字形フレーム(741)内には、Ｕ字形に曲げられたばねプレート(90)が嵌め込まれている。ばねプレート(90)は端子(74)のコの字形フレーム(741)内に埋設され、セルフアップ機構を形成する。また、ハウジング(70)のコの字形フレーム(741)内のばねプレート(90)に対応する前方に、それぞれ1つの電線挿入穴(72)を設け、かつ各ばねプレート(90)の上端にそれぞれ1つの挿入溝(73)を設ける。各挿入溝(73)の箇所には押え柱(80)を穿設し、押え柱(80)の当接端部(81)は、ばねプレート(90)の側辺に当接する。
【０００３】
従来の端子台は、使用時に、ねじ回し(60)(またはねじ回しに類似した構造物)で押え柱(80)の上部に下向きに力を加え、押え柱(80)はその当接端部(81)によ
りばねプレート(90)の側辺を押し、ばねプレート(90)を変形させる。このとき、
信号(電)線(50)の裸線(51)を電線挿入穴(72)の箇所から入れることができる。ねじ回し(60)を緩めると、押え柱(80)はばねプレート(90)により元の位置に押し戻され、信号(電)線(50)の裸線(51)はばねプレート(90)により端子(74)のコの字形フレーム(741)の箇所に挟まれ、導通の目的を達成する。
【０００４】
しかし、前記の従来の構造は、実施時に次の欠点を有する。
（１）押え柱(80)をハウジング(70)の挿入溝(73)に貫通後、ばねプレート(90)を押し、押え柱(80)と挿入溝(73)との間の組み合わせが緊密でありすぎる場合、制止力が大きくなり、かつ精度を上げる必要があり、コストが高くなる。逆に、押え柱(80)と挿入溝(73)との間の組み合わせが緩すぎる場合、その隙間(S)が大きくなり、押え柱(80)を押し動かすときに揺れ動きやすくなり、抜け、弾き出しが発生し、部品が破損しやすくなる。これらは、従来の構造の主な欠点である。
（２）押え柱(80)はハウジング(70)の挿入溝(73)の軸方向に対し垂直に力を加えるが、ばねプレート(90)の側辺は傾斜した角度を形成しているため、押え柱(80)の当接端部(81)は、1つの「点」でばねプレート(90)の側辺に対し押すことしかできず、押え柱(80)自体は前項に記載した隙間(S)で滑り移動しやすく、かつ加える力(P1)でばねプレート(90)を有効に押して変形させる際に、力(P1)がcos角度で分力されるため、使用上、力が必要になることももう1つの欠点である。
【０００５】
本考案者は、従来の直線式下押しばねプレートの構造方式が欠点を有することに鑑み、従来の構造の欠点を改善するため、精密な設計を行い改良した。
【考案の開示】
【考案が解決しようとする課題】
【０００６】
本考案の主な目的は、回転式的押えボタンを端子台内に設計し、端子を押してばねプレートを挟む際に、必要とする力を少なくし、確実になるようにし、かつ部品の組み合わせ精度のコストを節滅することである。
【課題を解決するための手段】
【０００７】
前記の目的を達成するため、本考案は次の方式で実施することができる。
【０００８】
端子台のハウジング内部に少なくとも1つの収容溝を設けてあり、ハウジングの収容溝に対応する正面に電線挿入穴を設けてあり、上方に弾き穴が設けてある。少なくとも1つの端子は、コの字形フレームを有し、ハウジングの収容溝内に置かれ、その下方のピンはハウジング下方に伸び出し、溶接点を形成する。少なくとも1つの折り曲げられたばねプレートは、端子のコの字形フレーム内に置かれる。少なくとも1つの押えボタンは、長い形を形成し、弾き穴内に設けられ、押えボタンは、中央部の位置に支軸が突設されてあり、弾き穴内で位置決めし、この支軸を中心に押えボタンを押し動かすことができるようにする。押えボタンの一端は力を加える弾き側を形成し、他端は押し側を形成し、ばねプレートの側辺を押す。
【考案の効果】
【０００９】
これにより、押えボタンの弾き側を押し弾くとき、中央部の片側に偏った支軸が回転軸の中心を形成するため、他端の押し側でばねプレートの一端を正確に押すことができ、力をあまり必要としない。信号(電)線は、その裸線を電線挿入穴内に簡単に挿入することができ、ねじ回しを緩めると、押し側はばねプレートにより元の位置に押し戻され、信号(電)線の裸線はばねプレートにより端子のコの字形フレームの箇所に挟まれ、導通の目的を達成する。
【考案を実施するための最良の形態】
【００１０】
本考案の内容をさらに明確にするため、図面の簡単な説明と合わせ、次のとおり詳細に説明する。
【００１１】
図1、図2及び図3を参照して、端子台は、その仕様および端子数の違いに基づき、
異なる大きさ、長さ、幅を有するが、本考案は、そのうちの1種類のみで説明を行う。端子台のハウジング(10)内部に、1つまたは複数の収容溝(11)を設け、サイドカバー(18)で緊合する。サイドカバー(18)としっかりと緊合するため、収容溝(11)内の略中央の位置にストッパー(12)を設け、平面に垂直な支柱(13)を
側辺に設け、若干の位置決め柱(14)を周辺に設けてある。ハウジング(10)は、正面に電線挿入穴(17)を設け、上方に弾き穴(15)を設け、いずれも収容溝(11)と通じるようにし、また弾き穴(15)の側辺に軸穴(16)を設けてある。
【００１２】
端子(20)は、ハウジング(10)の収容溝(11)内に置かれるコの字形フレーム(21)を有し、その下方のピン(22)は、ハウジング(10)下方に伸び出し、溶接点を形成する。
【００１３】
ばねプレート(30)は、Ｕ字形の湾曲体を形成し、端子(20)のコの字形フレーム(21)内に略横に置き、収容溝(11)内に内設し、ばねプレート(30)中央の湾曲部(32)が支柱(13)を囲むようにし、Ｕ字形はストッパー(12)に衝合した。ばねプレート(30)がコの字形フレーム(21)内で確実に固定されるため、コの字形フレーム(21)は、下端にテーパー(23)を設け、ばねプレート(30)の対応する位置に釘穴(31)を設け、テーパー(23)を釘穴(31)に挿入し、その結合をさらに強固なものにすることができる。
【００１４】
押えボタン(40)は、長い形を形成し、弾き穴(15)内に設けられる。押えボタン(40)は、中央部の位置に支軸(43)が突設されてあり、軸穴(16)内に挿設し、この支軸(43)を中心に押えボタン(40)を押し動かすことができるようにする。すなわち、押えボタン(40)の一端で弾き側(41)を形成し、弾き穴(15)に突出し、他端は、ばねプレート(30)の一端を押す押し側(42)を形成する。そのうち、前記弾き側(41)には、補助弾き溝(410)を設けることができ、押し側(42)は尖形または各種のスライド、弧形などの形状とすることができ、ばねプレート(30)を押すのに便利であればよい。
【００１５】
本考案の設計のポイントは、前記回転式の押えボタン(40)構造を設計し、図2、図3および図4のように、ねじ回し(60)(またはねじ回しに類似した構造物)を利用して押さえボタン(40)の弾き側(41)を押し弾くとき、中央部の片側に偏った支軸(43)が回転軸の中心を形成するため、他端の押し側(42)でばねプレート(30)の一端を押し、信号(電)線(50)は、その裸線(51)を電線挿入穴(17)内に挿入することができる。ねじ回し(60)を緩めると、押し側(42)はばねプレート(3
0)により元の位置に押し戻され、信号(電)線(50)の裸線(51)はばねプレート（30）により端子(20)のコの字形フレーム(21)の箇所に挟まれ、導通の目的を
達成することである。
【００１６】
本考案は、従来の構造と比較すると、以下の長所を有す。
（１）本考案の押えボタン(40)は、回転推進の方式で運動するため、従来の「柱
と溝穴」の組み合わせを必要とせず、そのため、組み合わせ部品の組み立ての際に、部品の組み合わせの精度を高める必要がなく、金型のコストを節約することができる。
（２）本考案の押えボタン(40)は、支軸(43)を中心とし、他端の押し側(42)は中心で弧を描きばねプレート(30)の一端を押えるため、推進する位置はしっかりと固定され、そのため、押し弾きの精度を向上させることができ、本考案の別の長所となっている。
（３）本考案の押えボタン(40)は、支軸(43)を中心として回転するため、その
押し側(42)の押す力(P)は、ばねプレート(30)の側辺に直接垂直である。そのため、力(P)全体がばねプレート(30)を実際に押して変形させる力となり、相対的に、ばねプレート(30)を変形させるときに必要な力は、従来の構造に比べ節約できる。これによって、本考案の加える力は、さらに精巧かつ有効であり、本考案のさらなる長所となっている。
【００１７】
また、前記の目的を達成するため、本考案は修飾を加えることができ、技術手段が同じであれば、いずれも考案の範疇となる。
【００１８】
例えば、図5に示すように、本考案の押えボタン(40a)は、形状を略変更することができ、特に弾き側(41a)の部分は、押し弾くのに適したいかなる形状にも変形することができ、密集した滑り止めまたはねじ回し推進の補助弾き溝(410a)を設けることもでき、優れた設計である。
【産業上の利用可能性】
【００１９】
本考案者は設計した回転押えボタンを有する端子台は、信号(電)線をより便利に力を入れずに挟むことができ、コストも下げることができるため、新規性および実用性に適合しており、産業上の利用価値を有し、実用新案出願の要件に適合している。
【図面の簡単な説明】
【００２０】
【図１】本考案に係る分解図1
【図２】本考案に係る分解図2
【図３】本考案に係る断面図1
【図４】本考案に係る断面図2
【図５】本考案に係る別の実施例の断面図
【図６】従来の端子台の正面図
【図７】従来の端子台の側面図
【符号の説明】
【００２１】
10        ハウジング
11        収容溝
12        ストッパー
13        支柱
14        位置決め柱
15        弾き穴
16        軸穴
17        電線挿入穴
18        サイドカバー
20        端子
21        コの字形フレーム
22        ピン
23        テーパー
30        ばねプレート
31        釘穴
32        湾曲部
40        押えボタン
40a       押えボタン
41        弾き側
41a       弾き側
410       補助弾き溝
410a      補助弾き溝
42        押し側
43        支軸
50        信号(電)線
51        裸線
60        ねじ回し
70        ハウジング
71        収容溝
72        電線挿入穴
73        挿入溝
74        端子
741       コの字形フレーム
742       ピン
80        押え柱
81        当接端部
90        バネプレート
S        
隙間
P        
力
P1        力
【図１】
0003137596.tif 000003
【図２】
0003137596.tif 000004
【図３】
0003137596.tif 000005
【図４】
0003137596.tif 000006
【図５】
0003137596.tif 000007
【図６】
0003137596.tif 000008
【図７】
0003137596.tif 000009